(57)【要約】【課題】下向き開口状のケース本体３で基台２上の展示空間の周囲を覆うように構成した展示装置１において、ケース本体３を昇降動可能に支持する昇降機構２０を簡単化し、且つ照明器具用の配管を目立たなくする。【解決手段】昇降機構２０は、一対のねじ軸４９，４９と、これら一対のねじ軸４９，４９にそれぞれ螺合する横梁部材５２と、各横梁部材５２のうちねじ軸４９を挟んだ両端部に立設した一対の昇降支柱５４，５４とで構成されている。一対のねじ軸４９，４９は基台２に回転のみ可能に支持され、一対の昇降支柱５４，５４は基台２の外周となる上水平フレーム５ａであって隅部以外の中途部に設けた軸受部材５１、５１を介して鉛直方向にのみ移動可能に軸支されている。ケース本体３の平面視の隅部内に縦長の配線用管体６２を下向きに長く突出させる。【選択図】　図５
2004024405.tif 000002
【特許請求の範囲】
【請求項１】
基台と、該基台の上方に設定した展示空間を包囲する位置に配置されたガラス板等からなるケース本体と、前記基台に対してケース本体を昇降させる昇降機構とを備えた展示装置において、
前記昇降機構は、同期して鉛直軸線回りに回転する左右一対のねじ軸と、該一対のねじ軸にそれぞれ螺合する横梁部材と、該横梁部材に前記ねじ軸を挟んで立設し、且つ前記ケース本体の下端部を支持するための少なくとも一対の昇降支柱とを備え、前記一対のねじ軸は前記基台に回転のみ可能に支持され、前記一対の昇降支柱は基台に設けた軸受部材を介して鉛直方向にのみ移動可能に軸支されていることを特徴とする展示装置。
【請求項２】
前記昇降機構は、１つの駆動モータにより同期して互いに同一方向または逆方向に回転する一対の横伝動軸を介して前記一対のねじ軸に動力伝達するように構成されていることを特徴とする請求項１に記載した展示装置。
【請求項３】
前記昇降支柱は、平面視で少なくとも四隅部を有するケース本体における前記各隅部以外の箇所を支持するように構成したことを特徴とする請求項１または２に記載した展示装置。
【請求項４】
基台と、該基台の上方に設定した展示空間を包囲する位置に配置されたガラス板等からなるケース本体と、前記基台に対してケース本体を選択的に昇降させる昇降機構とを備えた展示装置において、
前記昇降機構は、前記ケース本体の下端部を支持するための少なくとも左右一対の昇降支柱を同期して昇降するように構成し、前記一対の昇降支柱は、平面視で少なくとも四隅部を有するケース本体における前記四隅部を除いた側辺部近傍を支持するように構成したことを特徴とする展示装置。
【請求項５】
前記ケース本体の上部側に配置した照明装置に対する配線用管体を、ケース本体の隅部に略鉛直状に配置し、前記基台には前記配線用管体を上下案内する案内部を有することを特徴とする請求項１〜４のうちいずれかに記載した展示装置。
【発明の詳細な説明】
【０００１】
【発明の属する技術分野】
本発明は、美術館や博物館等において美術品や文化財等の展示品を収容する展示ケースのような展示装置の構成に関するものである。
【０００２】
【従来の技術】
一般に、ガラス板等からなる下向き開口状のケース本体で基台上の展示空間の周囲を覆うように構成した展示装置は、ケース本体内の展示品を出し入れするために、ケース本体を基台に対して昇降させる機能を備えていることが多い。
【０００３】
例えば、米国特許第５８２０２３３号公報には、基台の四隅部に立設した駆動モータ付きねじジャッキ体でケース本体の下端側の四隅部を支持し、四隅のねじジャッキ体を、各駆動モータで同期させて上下駆動させることにより、ケース本体を基台に対して昇降動させることが記載されている。
【０００４】
他方、特開２００２−１７５２１号公報には、略箱状の基台の四隅部に立設したねじジャッキ体でケース本体の下端側の四隅部を支持し、基台内に配置した１つの駆動モータから、水平配置された回転軸とベベルギヤ等からなる伝動機構を介して四隅のねじジャッキ体に対して動力伝達するように構成し、これらねじジャッキ体群を同期させて上下駆動させることにより、ケース本体を基台に対して昇降動させるというものが記載されている。
【０００５】
【発明が解決しようとする課題】
前記米国特許第５８２０２３３号公報の場合は、ケース本体を基台に対して昇降させる機構として、ねじジャッキ体を４本も必要とするばかりか、１つのねじジャッキ体ごとに駆動モータを設けているので、部品点数が多くて製造コストが嵩む。また、４つの駆動モータを同期作動させるための制御を精密に行わないと４本のねじジャッキ体の昇降動作に食い違いが発生し易いという問題があった。
【０００６】
他方、前記特開２００２−１７５２１号公報の場合は、基台内の１つの駆動モータからの動力が四隅のねじジャッキ体全てに配分されるので、前記米国特許の場合よりも駆動モータの数が少なくなっているものの、ねじジャッキ体を４本も必要とすることは前記米国特許の場合と変わらないので、製造コストの点からみて改良の余地があった。
【０００７】
また、この種の展示装置では、ケース本体で囲われた基台上の展示空間に配置された展示物品に上方から照明を当てたい場合、前記ケース本体の天井部位に照明装置を配置することが通常行われている。その場合、基台側に電源部等のコントローラ部を有し、それからケース本体の照明装置に配線する必要がある。その配線個所は展示効果が損なわれないケース本体の片隅（平面視で２枚のガラス板が略直交する隅部）に上下方向に配線用管体を配置し、この配線用管体の下端側はケース本体が上昇した位置でも基台の上部に上下摺動自在に嵌まっていることが望ましい。
【０００８】
しかしながら、前記両先行技術では、いずれもケース本体の下端側の四隅部をねじジャッキ体にて支持しており、前記配線用管体の配置と干渉してしまうという問題があった。
【０００９】
本発明は、このような問題を解消した展示装置を提供することを技術的課題とするものである。
【００１０】
【課題を解決するための手段】
この技術的課題を解決するため、請求項１の発明は、基台と、該基台の上方に設定した展示空間を包囲する位置に配置されたガラス板等からなるケース本体と、前記基台に対してケース本体を昇降させる昇降機構とを備えた展示装置において、前記昇降機構は、同期して鉛直軸線回りに回転する左右一対のねじ軸と、該一対のねじ軸にそれぞれ螺合する横梁部材と、該横梁部材に前記ねじ軸を挟んで立設し、且つ前記ケース本体の下端部を支持するための少なくとも一対の昇降支柱とを備え、前記一対のねじ軸は前記基台に回転のみ可能に支持され、前記一対の昇降支柱は基台に設けた軸受部材を介して鉛直方向にのみ移動可能に軸支されているというものである。
【００１１】
請求項２の発明は、請求項１に記載した展示装置において、前記昇降機構は、１つの駆動モータにより同期して互いに同一方向または逆方向に回転する一対の横伝動軸を介して前記一対のねじ軸に動力伝達するように構成されているというものである。
【００１２】
請求項３の発明は、請求項１または２に記載した展示装置において、前記昇降支柱は、平面視で少なくとも四隅部を有するケース本体における前記各隅部以外の箇所を支持するように構成したというものである。
【００１３】
請求項４の発明は、基台と、該基台の上方に設定した展示空間を包囲する位置に配置されたガラス板等からなるケース本体と、前記基台に対してケース本体を選択的に昇降させる昇降機構とを備えた展示装置において、前記昇降機構は、前記ケース本体の下端部を支持するための少なくとも左右一対の昇降支柱を同期して昇降するように構成し、前記一対の昇降支柱は、平面視で少なくとも四隅部を有するケース本体における前記四隅部を除いた側辺部近傍を支持するように構成したというものである。
【００１４】
請求項５の発明は、請求項１〜４のうちいずれかに記載した展示装置において、前記ケース本体の上部側に配置した照明装置に対する配線用管体を、ケース本体の隅部に略鉛直状に配置し、前記基台には前記配線用管体を上下案内する案内部を有するというものである。
【００１５】
【発明の実施の形態】
以下、本発明を具体化した実施形態を図面に基づいて説明する。図１〜図７は本発明を適用した第１実施形態を示している。ここで、図１は展示装置の全体構成を示す斜視図、図２は展示装置の側断面図、図３は基台の正断面図、図４は基台の側断面図、図５は昇降機構の作用を示す説明図、図６は配線用管体を示す側断面図、図７は開閉扉を開放した場合のヒンジ体を示す平面図である。
【００１６】
展示装置１は、略箱型の基台２と、この基台２よりも上方の展示空間Ｓを取り囲む硬化ガラス板や高透過率ガラス板等からなる下向き開口状のケース本体３とを備えている。
【００１７】
図１及び図２に示すように、基台２は、鋼材やアルミ材製等の４本の支柱４及び多数本の上下水平フレーム５ａ，５ｂによって枠状の骨組が構成されている。基台２の外周面のうち背面及び左右両側面には、化粧板６が張設されている。開口状の前面には、この開口を開閉可能に塞ぐ左右回動式の開閉扉７が上下一対のヒンジ体８，８を介して取付けられている。
【００１８】
これら各ヒンジ体８は、基台２の前面開口部の上下位置に設けた前向き開口コ字状の上枠９及び下枠１０に挿入固定した支持ブラケット部１１、開閉扉７の基端側のプレート（図示せず）及びガイドレール１２を介して装着した第１リンク１３、第２上リンク１４及び第２下リンク１５等により構成されている（図７に上側のヒンジ体８のみ示す）。
【００１９】
開閉扉７を平面視で略９０°まで開放した場合は、第１リンク１３の中途部が開閉扉７の基端側に設けた固定軸１６に当接して、開閉扉７がこれ以上の角度で開くことを阻止するようになっている（図１及び図７参照）。
【００２０】
基台２の内部には、その上方のケース本体３を基台２に対して昇降させる昇降機構２０のほか、昇降機構２０を駆動操作するための操作スイッチ２１、基台２の上面に上向き突設した光ファイバー等の照明具２２（実施形態では４つ）の光量を調節する調光器２３、ケース本体３の天蓋体３２（詳細は後述する）に設けた照明装置としての照明灯２４の光量を調節する調光ボックス２５等の各種操作部や、図示しない制御盤等が内装されている（図１〜図３等参照）。
【００２１】
この実施形態では、基台２内の上部側に上向き開口略箱型の収納部２７が設けられており、この収納部２７内に、展示空間Ｓ内の湿度を一定に保持するための調湿材２６が配置されている（図２参照）。操作スイッチ２１や調光器２３等の各種操作部は収納部２７の下方に配置されている（図１参照）。各種操作部の下方（基台２内の下部側）には、昇降機構２０を構成する駆動モータ４０等が配置されている（詳細は後述する）。
【００２２】
通常、基台２の前面開口部は、前述した開閉扉７で閉止されているので、基台２内の収納部２７や各種操作部等は、展示装置１の前方から見えなくなっている（隠されている）。
【００２３】
一方、基台２における下面の四隅部には、据付に際しての水平を出すため、高さ調節用のアジャスタ２８（実施形態では４つ）が取付けられており、前記四隅部よりも内側の部位には複数のキャスタ２９が取付けられている（実施形態では４つ、図１及び図３等参照）。
【００２４】
また、基台２における開口状の上面には、この開口を覆うパンチングメタル板１８が張設されており、このパンチングメタル板１８に穿設した空気穴（図示せず）を介して、展示品Ｔを収容する展示空間Ｓが基台２内の上部側に位置する収納部２７に連通している（図６参照）。これにより、調湿材２６で湿度を調整した調和空気が、パンチングメタル板１８の空気穴から展示空間Ｓ内に送り込まれる。
【００２５】
前述した光ファイバー等の照明具２４は、このパンチングメタル板１８の適宜位置に上向き突設されている。パンチングメタル板１８上には、美術品や文化財等の展示品Ｔを載置するための展示台１９が取付けられている。
【００２６】
図１及び図２に示すように、ケース本体３は、基台２の上方に位置する展示空間Ｓの四周を取り囲む硬化ガラス板等の４枚の透明板３１と、４枚の透明板３１における下端部を支持する平面視矩形状または正方形状の枠部材３３と、これら４枚の透明板３１の上端側の開口を塞ぐ天蓋体３２とにより構成されている。
【００２７】
各透明板３１の下端部は、シリコン樹脂製等のコーキング剤３５を介して枠部材３３の外周部に接着固定されている（図６参照）。そして、各透明板３１の上端部も、コーキング作用を有するシリコン樹脂製等の接着剤（コーキング剤）３５を介して天蓋体３２の下面側の周縁部に接着固定されている。
【００２８】
天蓋体３２は金属板製等のものであり、上面が略日字状に開口した略箱型に形成されている。天蓋体３２における上面の前後両開口には、上下回動式の扉３６，３６が蝶番（図示せず）を介して装着されており、これら各扉３６の内面（下面）に照明灯２４が２つずつ（計４つ）取付けられている。また、天蓋体３２の下面（ケース本体３の天井面）には、アルミ等の帯板を平面視で縦横に格子状に噛み合わせてなるルーバー３７が配設されている。
【００２９】
次に、図３〜図５を参照しながら、第１実施形態における昇降機構２０の構造について説明する。
【００３０】
図３に示すように、基台２内の各種操作部よりも下方位置には、正逆回転可能な駆動モータ４０と第１ギアボックス４１とが、駆動モータ４０を上側に第１ギアボックス４１を下側にして配設されている。
【００３１】
駆動モータ４０の出力軸４２に固定したプーリと、第１ギアボックス４１から後ろ向きに突出した入力軸４３（図５参照）のプーリとには、動力伝達用のタイミングベルト等の無端帯４４を巻き掛けてベルト伝動するように構成されている。
【００３２】
第１ギアボックス４１は、傘歯車機構を用いて駆動モータ４０からの動力を分岐させるためのものである。第１ギアボックス４１の内部には、１つの入力ベベル歯車４６と１つの従動ベベル歯車４７ａとが互いに直交して噛合うように配置され、入力ベベル歯車４６に入力軸４３を連結する。前記従動ベベル歯車４７ａを支持する回転軸４１ａの両端が第１ギアボックス４１の左右両側に突出しており、この回転軸４１ａの両端に、カップリング（軸継手）７５を介して左右両横伝動軸４５、４５を連結し、各横伝動軸４５、４５の中途部等を軸受７６にて軸支している（図３参照）。入力歯車４６が回転すると、左右の横伝達軸４５，４５は同方向に回転することとなる。
【００３３】
左右の下水平フレーム５ｂの長手（前後）方向中央部に配置した左右一対の第２ギアボックス４８、４８には、各横伝達軸４５の他端に連結するベベルギヤ４７ｂと、基台２内にて鉛直状に延びる左右一対のねじ軸４９、４９にそれぞれ動力伝達するためのベベルギヤ５０とを備え、両ベベルギヤ４７ｂ、５０は互いに９０度の関係で噛合う（図３、図５参照）。
【００３４】
前記左右一対のねじ軸４９、４９の下端部は前記ベベルギヤ５０に連結する軸とカップリング７５を介して回転のみ可能に連結されている。また、前記第１ギヤボックス４１及び第２ギヤボックス４８のベベルギヤによる動力伝達から理解できるように、駆動モータ４０の正回転により、左側のねじ軸４９が時計回りに回転し、右側のねじ軸４９は反時計回りに回転することになる。従って、左右のねじ軸４９の外周面には、螺旋状の転動溝（図示せず）が互いに逆ネジの関係で形成されており、これらのネジ軸４９を通常ボールねじ軸と称している。各ねじ軸４９の上端は左右の上水平フレーム５ａの下面側に固定した軸受部材５１にて回転のみ自在に軸支されている（図３及び図４参照）。
【００３５】
また、各ねじ軸４９には、前後に長い横梁部材５２の長手方向中途部に設けたボール軸受体（ボールナット）５３を螺合させ、左右の横梁部材５２には、ねじ軸４９を挟んだ両端部に、上方に延びる一対の昇降支柱５４，５４が取付けられている。前記ボール軸受体５３における軸穴の内周面には、前記ねじ軸４９の転動溝に対向する転動溝が形成されており、これら両転動溝で形成される螺旋通路には多数個のボールが介挿されている。そして、ボール軸受体５３内には螺旋通路の始端と終端とをつなぐ循環通路が形成されている。このボール軸受体５３により、前記ねじ軸４９の回転と軸線方向の荷重（つまりラジアル荷重とスラスト荷重）の両方を軽い抵抗力にて支持できるものである。
【００３６】
なお、前記一対のねじ軸４９の外周に通常のらせんネジ（雄ネジ）を形成し、前記ボール軸受体（ボールナット）５３に代えて、通常の雌ネジが形成されたナット体とした組み合わせでも良い。
【００３７】
これら各昇降支柱５４の上端部は、左右の上水平フレーム５ａの下面等に固定したスライド軸受５５（図４参照）と、このスライド軸受５５の軸穴に臨むように上水平フレーム５ａに穿設した貫通穴とを貫通して、ケース本体３の枠部材３３に固定されている。
【００３８】
従って、駆動モータ４０の正回転により、前記左右両ねじ軸４９、４９が互いに逆回転し、このそれぞれに螺合された左右一対の横梁部材５２、５２が一斉に上昇し、これらに立設された４本の昇降支柱５４により、枠部材３３と共にケース本体３を基台２の上端から離れるように上昇する。逆に、駆動モータ４０が逆回転すると、左右一対の横梁部材５２、５２が一斉に下降し、これらに立設された４本の昇降支柱５４に支持された枠部材３と共にケース本体３が基台２の上端に当接するように下降できるのである。
【００３９】
図３及び図５に示すように、ねじ軸４９と横梁部材５２とは側面視で略十字状に交差しており、各横梁部材５２の長手方向の長さは、これと対応する左または右側の２つの支柱４，４の間で支障なく昇降動できるように配置するため、水平フレーム５よりも短くなっている。
【００４０】
この実施形態では、各横梁部材５２の長手方向の長さが水平フレーム５よりも短くなっていることから、一対の昇降支柱５４，５４は、枠部材３３における左または右の枠辺部３４のうち隅部（支柱４の上端面に対応する位置）よりも長手方向中央寄りの部位を支持している（図４及び図５参照）。一対の昇降支柱５４，５４自身は、両スライド軸受５５，５５により基台２に対して昇降動のみ可能に軸支されている。
【００４１】
したがって、この実施形態では、ケース本体３を昇降動可能に支持するための機構が、左右一対のねじ軸４９，４９と、これら一対のねじ軸４９，４９にそれぞれ螺合する横梁部材５２と、各横梁部材５２のうちねじ軸４９を挟んだ両端部に立設し、かつケース本体３の枠部材３３を支持するための一対の昇降支柱５４，５４とで構成されている。
【００４２】
なお、図６に示すように、左右の上水平フレーム５ａの下面には、横梁部材５２が昇降可能範囲の最上位置にあるか否かを検知する上リミットスイッチ５６と、最上位置まで上昇した横梁部材５２に当接して、さらなる上昇を阻止する上ストッパー部材５７（実施形態では２つ）とが設けられている。
【００４３】
また、同様に、左右の下水平フレーム５ｂの上面には、横梁部材５２が昇降可能範囲の最下位置にあるか否かを検知する下リミットスイッチ５８と、最下位置まで下降した横梁部材５２に当接して、さらなる下降を阻止する下ストッパー部材５９（実施形態では２つ）とが設けられている。
【００４４】
次に、展示品Ｔの入替え等のために、ケース本体３を昇降動させる際の操作手順及びその動作の態様について説明する。
【００４５】
まず、ケース本体３が基台２上に載置された状態（ケース本体３が下降した状態）において、基台２前面側の開閉扉７を開放して（図１参照）、各種操作部が現れるようにし、操作スイッチ２１のうち上昇スイッチ２１ａを押下して駆動モータ４０を所定方向に回転駆動させる。
【００４６】
そうすると、駆動モータ４０の動力（回転力）がベルト４４を介して入力軸４３に伝わり、この入力軸４３が正回転（例えば図５のＡ方向）に回転するので、ベベルギヤ４６、４７ａを介して横伝達軸４５が正回転する（例えば図５のＢ方向）。
【００４７】
次いで、横伝達軸４５に伝わった動力がベベルギヤ４７ｂ、５０を介して左右両のねじ軸４９、４９は互いに逆回転するが（例えば図５のＣ及びＤ方向）、ねじ軸４９、４９のらせん溝は右ねじと左ねじとに形成されているので、ボール軸受体５３、５３を介して螺合されている左右両側の横梁部材５２、５２が上昇し、計４本の昇降支柱５４がそれぞれに対応する上水平フレーム５ａの貫通穴から上向きに突出する。その結果、計４本の昇降支柱５４で支持されたケース本体３が上昇動する（図５の実線状態参照）。
【００４８】
他方、例えば入替え作業が終了した後等に、操作スイッチ２１のうち下降スイッチ２１ｂを押下すると、駆動モータ４０が上昇時とは反対方向に回転して、入力軸４３、横伝達軸４５、及び左右両ねじ軸４９，４９もそれぞれ各々上昇時とは反対方向に回転するので、各ねじ軸４９に螺合された横梁部材５２が下方にねじ送りされて、計４本の昇降支柱５４がそれぞれに対応する上水平フレーム５ａの貫通穴に入るように沈むことになる。その結果、ケース本体３は下降して再び基台２上に載置される（図１及び図５の２点鎖線状態参照）。
【００４９】
ここで、平面視矩形状に囲んだ上水平フレーム５ａのうち昇降支柱５４が通過する貫通穴や、配線用管体６２（詳細は後述する）が通過する貫通穴６０よりも内周側を囲むように、軟質ゴム等のパッキン６１が配設されており（図６参照）、ケース本体３が基台２上に載置された状態では、このパッキン６１に枠部材３３の下面が平面視枠状に密接するので、展示空間Ｓ内の気密性を確実に保持できる。
【００５０】
なお、ケース本体３が昇降動している途中で、操作スイッチ２１のうち停止スイッチ２１ｃを押下すると、その時点でケース本体３は停止する。
【００５１】
したがって、この実施形態の展示装置１によると、ケース本体３を昇降動可能に支持するための機構を、左右一対のねじ軸４９，４９と、これら一対のねじ軸４９，４９にそれぞれ螺合する横梁部材５２と、各横梁部材５２のうちねじ軸４９を挟んだ両端部に立設し、かつケース本体３の枠部材３３を支持するための一対の昇降支柱５４，５４とで構成しているから、前述した従来技術と比べて、製造に手間のかかるねじ軸４９や長いねじ筒体のようなねじ部材の個数が少なく、昇降機構２０全体の構造が簡単且つ軽量であるにもかかわらず、ケース本体３をスムーズかつ確実に昇降動させることができる。しかも、昇降機構２０全体の構造を簡単化しているので、製造コストの低減にも寄与できる。
【００５２】
従来のものはねじ軸に対して雌ねじ筒体を被嵌螺合させたねじジャッキ体であったから、雌ねじ筒体とねじ軸との螺合範囲が長く被嵌している状態、つまりケース本体が下降している時と、雌ねじ筒体とねじ軸との螺合範囲が短く、従って、ケース本体が上昇しいる状態とで、その螺合の摩擦抵抗力が大きく異なる（ケース本体下降時のほうが抵抗力が大きい）から、ケース本体の上昇開始時に駆動モータ４０に大きな負担がかかり、そのため、駆動モータの容量を大きくする必要があり、コストが高くなる。
【００５３】
また、昇降機構２０は、１つの駆動モータ４０により横伝動軸４５，４５を介して左右両ねじ軸４９，４９に同期して互いに同一方向に回転するように構成されているので、左右両ねじ軸４９，４９の回転のタイミング、ひいては左右の両横梁部材５２，５２に取付けた昇降支柱５４（計４本）の昇降動のタイミングを確実に一致させることができる。
【００５４】
これにより、昇降時にケース本体３が傾いたり歪んだりすることがなく、このような傾斜や歪みによるケース本体３の破損等のおそれを回避できる。
【００５５】
さらに、ねじ軸４９を使用すると、ねじ軸４９が回転しない限り横梁部材５２は昇降動しないため、持ち上げたケース本体３が自身の重量で下降するような不測の事態が生じることがないのである。
【００５６】
ところで、前述した従来技術の場合、ケース本体を上昇させると、四つのねじジャッキ体は、基台の上面から上方に突出して、平面視でケース本体の四隅部にそれぞれ露出することになるから、作業者が展示品を出し入れするには、作業者から見て手前側に位置する二つのねじジャッキ体の間に手を出し入れしなければならない。
【００５７】
このため、比較的小型の展示装置においては、出し入れ作業時に作業者の手がねじジャッキ体に当たって展示品を落としたりするおそれがあり、平面視でケース本体の四隅部において露出しているねじジャッキ体は、出し入れ作業をする上で邪魔になるという問題があった。
【００５８】
この問題に対して、第１実施形態の展示装置１では、各横梁部材５２の長手方向の長さを水平フレーム５よりも短く設定して、この横梁部材５２に取付けた一対の昇降支柱５４，５４は、これに対応する上水平フレーム５ａのうち隅部（支柱４の上端面に対応する位置）よりも長手方向中央寄りの部位に穿設された貫通穴から上方に突出するように構成されている。
【００５９】
したがって、展示装置１の前後方向（昇降支柱５４が突出しない方向）から展示品Ｔを出し入れするようにすると、作業者から見て昇降支柱５４は隅部よりも奥側に位置することになるので、その方向からの出し入れの空間を広くでき、出し入れ作業時に作業者の手が昇降支柱５４に当たるおそれが少なくなり、誤って展示品Ｔを落としたりする不測の事態は起こり難いし、昇降支柱５４の位置を気にすることなく、展示品Ｔの出し入れをスムーズに行うことが可能である。
【００６０】
一方、平面視でケース本体３の四隅部（平面視で２枚のガラス板が略直交する隅部）は、展示品Ｔに目を向けた鑑賞者からあまり目立たない位置である。そして、本発明では、前記ケース本体３の四隅部の下方には、昇降支柱が存在しないから、展示効果が損なわれないケース本体３の片隅（平面視で２枚のガラス板が略直交する隅部）に上下方向に長い配線用管体６２を配置し、この配線用管体６２の中途部を基台２における枠状の上水平フレーム５ａの１つの角部に穿設された貫通孔６０を介して基台２の下方に導く（図１、図２及び図６参照）。
【００６１】
この配線用管体６２は、天蓋体３２内の照明灯２４等に接続される配線コード６９を通すためのものである。配線用管体６２の上端外周部にはねじ山６３が形成されており、天蓋体３２の下面のうち右奥側の隅部に設けた取付け穴６４に配線用管体６２の上端外周部を貫通させ、この上端外周部を、コーキング（シール）のためのパッキン６５を介してナット６６で締結している（図６参照）。
【００６２】
また、枠部材３３の隅部と、上水平フレーム５ａの隅部（右奥支柱４の上端面に対応する位置）とには、平面視で天蓋体３２の取付け穴６４と合致するように貫通穴６７，６０が穿設されている。配線用管体６２の長手方向中途部が枠部材３３を下方に貫通する個所を塞ぐように平面視環状のパッキン６８が被嵌されており、ケース本体３が基台２上に載置された状態において、展示装置１の外部の空気が枠部材３３の右奥側隅部の貫通穴６７を介して展示空間Ｓ内に侵入することを阻止している。
【００６３】
配線用管体６２の上下方向の長さは、ケース本体３が最も高い位置まで上昇した状態でも、配線用管体６２が上水平フレーム５ａの右奥側隅部の貫通穴６０から外れない程度の長さに設定されている。上水平フレーム５ａの右奥側隅部の貫通穴６０が請求項に記載した案内部に相当する。
【００６４】
前記右奥の支柱４の内面側には、配線コード６９を配線用管体６２の下端部から基台２の内部に引き出すための長穴７０が穿設されている。詳細は図示していないが、長穴７０から基台２内に引き出された配線コード６９には、例えばばね手段や重り等により下向きの軽いテンションをかけるようにしても良い。このように配線コード６９に下向きのテンションをかけるようにすると、ケース本体３の昇降動によって、配線コード６９が弛んで前記中空状の支柱４の内部で絡まったりすることがない。
【００６５】
以上のように構成すると、配線用コード６９を配線用管体６２で隠すことができるし、配線用管体６２自体もあまり目立たない位置にあるので、展示装置１の美観を向上させることができる。
【００６６】
また、上下に十分に長い配線用管体６２の下端部が上水平フレーム５ａの右奥側隅部（右奥支柱４の上端面に対応する位置）の貫通穴６０に挿通されているので、ケース本体３が昇降動した場合に、配線用管体６２をこの貫通穴６０に沿わせてスムーズに抜き差しすることができる。
【００６７】
さらに、配線コード６９を、天蓋体３２側から配線用管体６２を介して基台２の内部に導くことができるので、天蓋体３２から直接外部に配線コード６９を引き出して商用電源装置等に接続する必要がなく、大変見栄えがよいのである。
【００６８】
図８（ａ）〜（ｃ）は、展示装置１の平面視の外形と昇降機構２０の配置態様との組合せの別例を示している。本発明に係る横梁部材５２は各ねじ軸４９に螺合させているだけであるから、左右両横梁部材５２，５２は、第１実施形態のように、平面視で略平行状に配置する以外に、図８（ａ）（ｂ）に示すような平面視ハ字状等、任意の方向に向けて配置できる。
【００６９】
したがって、左右両横梁部材５２，５２の配置状態に合せて、展示装置１の平面視の外形を図８（ａ）に示す平面視略扇状にしたり、図８（ｂ）に示す平面視台形状にしたりすることができるので、展示装置１の外形のバリエーションが豊富になるのである。
【００７０】
また、図８（ｃ）に示すように、入力軸４３の入力ベベル歯車４６′に左右両側のベベル従動歯車４７′、４７′を噛み合いさせ、左右一対の横伝達軸４５，４５を前記各ベベル従動歯車４７′、４７′に連結すべく分断し、該左右両横伝達軸４５，４５を平面視く字状に折れるように配置すれば、展示装置１の外形を平面視台形状等の任意の形状にすることも可能である。なお、図８（ｃ）のように、入力ベベル歯車４６′左右両側２つのベベル従動歯車４７′、４７′を噛み合させると、前記一対の横伝達軸４５，４５は互いに逆回転し、その後のねじ軸４９、４９に対するベベルギヤの動力伝達で、当該両ねじ軸４９、４９は同方向に回転することになる。
【００７１】
図９及び図１０に示す第２実施形態は昇降機構の配置態様の別例である。
【００７２】
この実施形態では、正逆回転可能な駆動モータ８０、及び駆動モータ８０からの動力を左右両ねじ軸４９に伝達するための回転軸８１等が基台２の上部側に配置されている。
【００７３】
駆動モータ８０の出力軸８２に固定したウォームホィール８３は、回転軸８１の長手方向中途部に同心状に配置したウォーム８４に噛み合わされており、駆動モータ８０から回転軸８１に伝わった動力は、回転軸８１の両端部に取付けたギアボックス８５，８５を介して左右各ねじ軸４９に伝達される。その他の構成は第１実施形態と同じであるので、詳細な説明は省略する。
【００７４】
このように、駆動モータ８０や回転軸８１等を基台２の上部側に配置した場合は、基台２内の下方に大きな空間を形成することができる他、第１実施形態の場合と同様の作用効果を奏することはいうまでもない。
【００７５】
本発明は、前述の各実施形態に限らず、様々な態様に具体化できる。例えばケース本体３を昇降動可能に支持する機構として、油圧または空圧等のシリンダを使用したり、ラックとピニオンとからなる機構を使用したりしてもよい。シリンダを使用した場合は、当該シリンダのピストンロッドが請求項４に記載した昇降支柱に相当する。ラックとピニオンとからなる機構を使用した場合は、ラックが請求項４に記載した昇降支柱に相当する。
【００７６】
昇降支柱のケース本体に対する支持位置は、昇降支柱の態様に規制されるものではなく、ケース本体の四隅部以外の箇所であれば、ケース本体の昇降動の安定性やスムーズさを損なわない範囲で任意に設定してよい。
【００７７】
また、請求項に記載したねじ軸は、第１実施形態のねじ軸４９に限らず、通常のねじ山を有するねじ軸でも差し支えない。
【００７８】
ケース本体３は、展示空間Ｓの四周全てを透明板３１で囲む構成に限らず、一部を不透明な板材としてもよいし、天蓋体３２の部分を透明板３１に代えてもよい。
【００７９】
図示は省略するが、駆動モータ４０に代えて、例えば入力軸４３にクランク状のハンドルを取付け、このハンドルを手動で回すことによって、ケース本体３を昇降動させるように構成してもよい。
【００８０】
【発明の効果】
請求項１の発明によると、基台と、該基台の上方に設定した展示空間を包囲する位置に配置されたガラス板等からなるケース本体と、前記基台に対してケース本体を昇降させる昇降機構とを備えた展示装置において、前記昇降機構は、同期して鉛直軸線回りに回転する左右一対のねじ軸と、該一対のねじ軸にそれぞれ螺合する横梁部材と、該横梁部材に前記ねじ軸を挟んで立設し、且つ前記ケース本体の下端部を支持するための少なくとも一対の昇降支柱とを備え、前記一対のねじ軸は前記基台に回転のみ可能に支持され、前記一対の昇降支柱は基台に設けた軸受部材を介して鉛直方向にのみ移動可能に軸支されているものであるから、前述した従来技術と比べて、製造に手間のかかるねじ軸や長いねじ筒体のようなねじ部材が少なく、昇降機構全体の構造が簡単になる。これにより、製造コストを低減できるという効果を奏する。
【００８１】
また、横梁部材は各ねじ軸に螺合させているだけであるから、一対の横梁部材は、平面視で略平行状に配置する以外に、例えば平面視ハ字状等、任意の方向に向けて配置できる。
【００８２】
したがって、展示装置１の平面視の外形に合わせて、左右両横梁部材の配置（向き）を任意に設定することができるので、昇降機構の要素を変えることなく、種々の平面視外形の展示装置に適用でき、バリエーションが豊富になるという効果を奏する。
【００８３】
請求項２のように構成すると、昇降機構は、１つの駆動モータにより同期して互いに同一方向または逆方向に回転する一対の横伝動軸を介して一対のねじ軸に動力伝達するように構成されているので、一対のねじ軸の回転のタイミング、ひいては一対の横梁部材に取付けた昇降支柱の昇降動のタイミングを確実に一致させることができる。
【００８４】
これにより、昇降時にケース本体が傾いたり歪んだりすることがなく、このような傾斜や歪みによるケース本体の破損等のおそれを回避できるという効果を奏する。
【００８５】
請求項３のように構成すると、横梁部材に取付けた一対の昇降支柱は、基台の隅部以外の箇所から上方に突出することになるので、これにより、展示品の出し入れ作業時に、基台の隅部よりも奥側に位置する昇降支柱に作業者の手が当たるおそれは少なく、展示品の出し入れをスムーズに行えるという効果を奏する。
【００８６】
請求項４のように構成した場合、ケース本体を基台の上面から大きく上昇させて展示を交換するとき、一対の昇降支柱は、基台の隅部以外の箇所から上方に突出することになるので、一対の昇降支柱が突出していない側方の空間（特に横幅方向）が大きく空くので、展示品の出し入れをスムーズに行えるという効果を奏する。
【００８７】
請求項５のように構成すると、照明装置に対する配線用管体を、ケース本体の隅部に略鉛直状に配置するので、照明装置に接続されるコード等を配線用管体で隠すことができるし、ケース本体の隅部に配線用管体自体を上下に長く配置することで、目立たなくすることができ、展示装置の展示効果を妨げることを少なくできるという効果を奏する。
【００８８】
また、基台には配線用管体を上下案内する案内部を有するので、ケース本体をを昇降動させた場合に、配線用管体を基台の案内部に沿わせてスムーズに抜き差しすることができる。
【図面の簡単な説明】
【図１】第１実施形態の展示装置の全体構成を示す斜視図である。
【図２】展示装置の側断面図である。
【図３】基台の正断面図である。
【図４】基台の側断面図である。
【図５】昇降機構の作用を示す説明図である。
【図６】配線用管体を示す側断面図である。
【図７】開閉扉を開放した場合のヒンジ体を示す平面図である。
【図８】（ａ）〜（ｃ）のいずれも展示装置の外形と昇降機構の配置態様との組合せの別例を示す概略平面図である。
【図９】第２実施形態の昇降機構を示す正断面図である。
【図１０】昇降機構を示す側断面図である。
【符号の説明】
１　展示装置
２　基台
３　ケース本体
５ａ　上水平フレーム
５ｂ　下水平フレーム
２０　昇降機構
４０　駆動モータ
４１　第１ギアボックス
４３　入力軸
４５　横伝達軸
４８　第２ギアボックス
４９　ねじ軸
５２　横梁部材
５４　昇降支柱
６２　配線用管体
６９　配線用コード
【図１】
2004024405.tif 000003
【図２】
2004024405.tif 000004
【図３】
2004024405.tif 000005
【図４】
2004024405.tif 000006
【図５】
2004024405.tif 000007
【図６】
2004024405.tif 000008
【図７】
2004024405.tif 000009
【図８】
2004024405.tif 000010
【図９】
2004024405.tif 000011
【図１０】
2004024405.tif 000012